(57)【要約】【課題】生産性向上に役立つイオン注入装置及びイオン注入方法を提供する。【解決手段】イオン注入装置１０は、リボンビーム１２を引き出すための引出電極系２４を備えるイオン源１８と、イオン源１８からリボンビーム１２を受け入れるプロセスチャンバ２６と、を備える。プロセスチャンバ２６は、イオンビーム照射領域１４を基板Ｓに通過させるよう構成されている。リボンビーム１２は、イオン源１８のイオンビーム生成条件に従って決定される特性を有する。リボンビーム１２は、イオンビーム照射領域１４を基板Ｓが通過する間に引出電極系２４からイオンビーム照射領域１４へとビーム特性を保持して、イオンビーム照射領域１４を移動中の基板Ｓに直接照射される。【選択図】図１
2014099284.tif 000002
【特許請求の範囲】
【請求項１】
プラズマ室と、前記プラズマ室にプラズマを生成するためのプラズマ源と、長尺ビーム断面を有するイオンビームを前記プラズマ室から引き出すための引出電極系と、を備えるイオン源と、
前記イオン源に隣接して設けられ、前記引出電極系から前記イオンビームを受け入れる処理室であって、イオンビーム照射領域を通る基板移動経路に沿って基板を移動させるための基板移動機構を備える処理室と、
前記イオン源のイオンビーム生成条件を制御するための制御部と、を備え、
前記イオンビームは、前記イオンビーム生成条件に従って決定されるビーム電流を有し、前記イオンビームは、前記引出電極系から前記イオンビーム照射領域を移動中の基板に、前記ビーム電流を保持して直接照射されることを特徴とするイオン注入装置。
【請求項２】
前記イオンビーム生成条件は、前記引出電極系の引出条件及び／または前記プラズマ源のプラズマ制御条件を含むことを特徴とする請求項１に記載のイオン注入装置。
【請求項３】
前記イオンビーム生成条件は、前記引出電極系の引出電圧を含むことを特徴とする請求項１または２に記載のイオン注入装置。
【請求項４】
前記制御部は、基板への所与の注入ドーズ量及び所与の基板移動速度のもとで、前記イオンビーム生成条件を制御して前記ビーム電流を調整することを特徴とする請求項１から３のいずれかに記載のイオン注入装置。
【請求項５】
前記基板移動機構は、基板を実質的に一定の速度で移動させることを特徴とする請求項１から４のいずれかに記載のイオン注入装置。
【請求項６】
前記制御部は、前記プラズマ源のプラズマ制御条件を変更することにより、前記イオンビームのイオン組成を制御することを特徴とする請求項１から５のいずれかに記載のイオン注入装置。
【請求項７】
前記プラズマ源は、ＰＨ３、Ｂ２Ｈ６、またはＨ２を含むソースガスを前記プラズマ室に供給するためのガス供給源と、前記ソースガスからプラズマを生成するための高周波プラズマ励起源と、を備えることを特徴とする請求項１から６のいずれかに記載のイオン注入装置。
【請求項８】
前記プラズマ室は互いに隣接する複数の長尺出口開口を有し、各長尺出口開口は前記移動経路に垂直な方向に沿って形成されており、
前記引出電極系は前記複数の長尺出口開口に対応する複数のスリットを有し、各スリットは前記長尺ビーム断面を有するイオンビームを引き出すために設けられており、
前記移動経路に沿う方向についての前記イオンビーム照射領域の幅が、前記長尺ビーム断面の前記方向の幅よりも広いことを特徴とする請求項１から７のいずれかに記載のイオン注入装置。
【請求項９】
前記プラズマ源は、基板に注入されるべきイオン種のモノマーイオンとダイマーイオンとを含むプラズマを前記プラズマ室に生成するよう構成されており、
前記引出電極系は、モノマーイオンとダイマーイオンとを含むイオンビームを前記プラズマ室から引き出すよう構成されており、
前記イオンビーム照射領域は、モノマーイオンとダイマーイオンの両方を受けることが許容されていることを特徴とする請求項１から８のいずれかに記載のイオン注入装置。
【請求項１０】
イオン源のイオンビーム生成条件を制御することと、
前記イオン源の引出電極系を通じてイオンビームを引き出すことと、
前記イオン源から前記イオンビームを処理室に受け入れることと、
前記処理室のイオンビーム照射領域を通るよう基板を移動させることと、を備え、
前記イオンビームは、前記イオンビーム生成条件に従って決定されるビーム電流を有し、前記イオンビームは、前記引出電極系から前記イオンビーム照射領域を移動中の基板に、前記ビーム電流を保持して直接照射されることを特徴とするイオン注入方法。
【請求項１１】
イオンビームを引き出すための引出電極系を備えるイオン源と、
前記イオン源から前記イオンビームを受け入れる処理室であって、イオンビーム照射領域を基板に通過させるよう構成されている処理室と、を備え、
前記イオンビームは、前記イオン源のイオンビーム生成条件に従って決定される特性を有し、かつ、前記イオンビーム照射領域を基板が通過する間に前記引出電極系から前記イオンビーム照射領域へと前記特性を保持して、前記イオンビーム照射領域を移動中の基板に直接照射されることを特徴とするイオン注入装置。
【請求項１２】
イオン源の引出電極系を通じてイオンビームを引き出すことと、
前記イオン源から前記イオンビームを処理室に受け入れることと、
前記処理室のイオンビーム照射領域を基板に通過させることと、を備え、
前記イオンビームは、前記イオン源のイオンビーム生成条件に従って決定される特性を有し、かつ、前記イオンビーム照射領域を基板が通過する間に前記引出電極系から前記イオンビーム照射領域へと前記特性を保持して、前記イオンビーム照射領域を移動中の基板に直接照射されることを特徴とするイオン注入方法。
【発明の詳細な説明】
【技術分野】
【０００１】
本発明は、イオン注入に関し、より詳しくは、イオン注入装置及びイオン注入方法に関する。
【背景技術】
【０００２】
太陽電池製造のためのビームラインイオン注入装置が知られている（例えば、特許文献１及び２参照）。この装置においては、イオン源から引き出されたイオンビームは、質量分析器、分解アパーチャ、角度補正磁石をもつビームラインを経てエンドステーションへと運ばれる。不所望のイオン種は、分解アパーチャを通過せずに、マスキング電極によりブロックされる。
【先行技術文献】
【特許文献】
【０００３】
【特許文献１】特表２０１１−５１３９９７号公報
【特許文献２】米国特許出願公開第２０１０／０１９７１２６号明細書
【発明の概要】
【発明が解決しようとする課題】
【０００４】
原理的にはイオン注入を適用し得るプロセスであっても、経済的な理由からイオン注入が適用されていないプロセスがある。既存のイオン注入装置が比較的高額であるために、こうしたプロセスでは、そのプロセスで生産されるデバイスに求められる生産コストにイオン注入が見合わない。
【０００５】
そのようなプロセスの代表的な例には、太陽電池基板を製造するためのいくつかのプロセスがある。これらのプロセスにイオン注入を適用することによって、太陽電池基板に注入する不純物のドーズ量や深さ方向の分布を精度よく制御することができる。それにより、太陽電池の性能向上が期待される。しかし、注入のためのイオンビーム電流が要求される水準に達していない。そのため、イオン注入は、太陽電池基板の製造に十分な生産性を与えていない。
【０００６】
本発明のある態様の例示的な目的のひとつは、いくつかのプロセスの生産性向上に役立つ高ビーム電流を与えるイオン注入装置及びイオン注入方法を提供することにある。
【課題を解決するための手段】
【０００７】
本発明のある態様によると、プラズマ室と、前記プラズマ室にプラズマを生成するためのプラズマ源と、長尺ビーム断面を有するイオンビームを前記プラズマ室から引き出すための引出電極系と、を備えるイオン源と、前記イオン源に隣接して設けられ、前記引出電極系から前記イオンビームを受け入れる処理室であって、イオンビーム照射領域を通る基板移動経路に沿って基板を移動させるための基板移動機構を備える処理室と、前記イオン源のイオンビーム生成条件を制御するための制御部と、を備え、前記イオンビームは、前記イオンビーム生成条件に従って決定されるビーム電流を有し、前記イオンビームは、前記引出電極系から前記イオンビーム照射領域を移動中の基板に、前記ビーム電流を保持して直接照射されることを特徴とするイオン注入装置が提供される。
【０００８】
本発明のある他の態様によると、イオン源のイオンビーム生成条件を制御することと、前記イオン源の引出電極系を通じてイオンビームを引き出すことと、前記イオン源から前記イオンビームを処理室に受け入れることと、前記処理室のイオンビーム照射領域を通るよう基板を移動させることと、を備え、前記イオンビームは、前記イオンビーム生成条件に従って決定されるビーム電流を有し、前記イオンビームは、前記引出電極系から前記イオンビーム照射領域を移動中の基板に、前記ビーム電流を保持して直接照射されることを特徴とするイオン注入方法が提供される。
【０００９】
本発明のある他の態様によると、イオンビームを引き出すための引出電極系を備えるイオン源と、前記イオン源から前記イオンビームを受け入れる処理室であって、イオンビーム照射領域を基板に通過させるよう構成されている処理室と、を備え、前記イオンビームは、前記イオン源のイオンビーム生成条件に従って決定される特性を有し、かつ、前記イオンビーム照射領域を基板が通過する間に前記引出電極系から前記イオンビーム照射領域へと前記特性を保持して、前記イオンビーム照射領域を移動中の基板に直接照射されることを特徴とするイオン注入装置が提供される。
【００１０】
本発明のある他の態様によると、イオン源の引出電極系を通じてイオンビームを引き出すことと、前記イオン源から前記イオンビームを処理室に受け入れることと、前記処理室のイオンビーム照射領域を基板に通過させることと、を備え、前記イオンビームは、前記イオン源のイオンビーム生成条件に従って決定される特性を有し、かつ、前記イオンビーム照射領域を基板が通過する間に前記引出電極系から前記イオンビーム照射領域へと前記特性を保持して、前記イオンビーム照射領域を移動中の基板に直接照射されることを特徴とするイオン注入方法が提供される。
【００１１】
なお、以上の構成要素の任意の組み合わせや本発明の構成要素や表現を、方法、装置、システム、プログラムなどの間で相互に置換したものもまた、本発明の態様として有効である。
【発明の効果】
【００１２】
本発明によれば、生産性向上に役立つイオン注入装置及びイオン注入方法を提供することができる。
【図面の簡単な説明】
【００１３】
【図１】本発明のある実施の形態に係るイオン注入装置を概略的に示す図である。
【図２】本発明のある実施の形態に係るイオン注入装置の一部を概略的に示す斜視図である。
【図３】本発明のある実施の形態に係るイオン注入装置の引出電極系を概略的に示す図である。
【図４】本発明のある実施の形態に係るイオン注入装置のビーム測定系を概略的に示す平面図である。
【図５】本発明のある実施の形態に係るイオン注入装置により得られる注入プロファイルを示す図である。
【図６】本発明のある実施の形態に係るイオン注入装置のためのインライン型の真空チャンバシステムを概略的に示す平面図である。
【図７】本発明のある実施の形態に係るイオン注入方法を表すフローチャートである。
【発明を実施するための形態】
【００１４】
以下、図面を参照しながら、本発明を実施するための形態について詳細に説明する。なお、図面の説明において同一の要素には同一の符号を付し、重複する説明を適宜省略する。また、以下に述べる構成は例示であり、本発明の範囲を何ら限定するものではない。
【００１５】
本発明のある実施の形態に係るイオン注入装置は、基板へのイオン注入段階でのイオンビームの特性を、イオンビームの生成段階で制御するよう構成されている。イオンビームの生成段階とは、イオンの供給源であるプラズマの生成からイオンの引き出しまでをいう。イオンの引き出しによってイオンビームが生成される。引き出されたイオンは基板に注入される。
【００１６】
こうして、制御されたビーム特性をもつイオンビームが基板に直接的に照射される。イオン引き出しからイオン注入までのビームラインをごく短くすることができるので、輸送中のイオンの損失を最小にすることができる。よって、引き出されたときの高ビーム電流で基板にイオンを注入することができるので、高い生産性をもつイオン注入装置を提供することができる。
【００１７】
図１は、本発明のある実施の形態に係るイオン注入装置１０を概略的に示す図である。図１は、イオン注入装置１０を側方から見た図である。図２は、本発明のある実施の形態に係るイオン注入装置１０の一部を概略的に示す斜視図である。図２には、図１において紙面に平行な平面によるイオン注入装置１０の一部の断面も示されている。図２において断面領域に斜線を付してある。
【００１８】
イオン注入装置１０は、イオンビーム１２を基板Ｓに照射するよう構成されている。イオンビーム１２は長手方向（図１において紙面に垂直な方向）に延びる長尺ビーム断面を有する。以下ではイオンビーム１２をリボンビーム１２と呼ぶことがある。リボンビーム１２は、その断面に相当するイオンビーム照射領域（以下、イオンビーム領域ともいう）１４をプロセスチャンバ２６に形成する。ある特定の時点においてイオンビーム領域１４は基板Ｓの表面上の特定の部分にある。理解の容易のために図２においてイオンビーム領域１４に細かいドットを付してある。プロセスチャンバ２６において基板Ｓは、基板移動経路Ａに沿ってイオンビーム領域１４を通過する。こうして基板Ｓの表面の広い範囲にイオン注入をすることができる。
【００１９】
この実施形態においては、基板Ｓは、太陽電池用の基板または太陽電池セルである。したがって、イオン注入装置１０は、太陽電池基板の製造のために使用される。基板Ｓはたいていの場合平板形状をもつ半導体部材であるが、基板Ｓはその他の任意の形状及び材質を有する被処理物であってもよい。基板Ｓは、１枚の大型基板であってもよいし、複数枚の小型基板であってもよい。基板Ｓが複数の基板を指し示す場合、基板Ｓは、これら基板を平面に（例えばマトリックス状に）配置するためのトレイなどの容器を含んでもよい。このトレイは例えば４列以上のマトリックス配置の基板に各列同時に注入処理できるよう構成されていてもよい。また、基板Ｓはマスクで覆われる場合もある。以下では説明の便宜上、こうした基板、容器、マスク、及びその他の被処理物を総称して基板Ｓと呼ぶことがある。
【００２０】
図１に示すように、イオン注入装置１０は、リボンビーム１２を生成するよう構成されているイオン源１８を備える。イオン源１８は、リボンビーム１２を中央チャンバ１６に与える。イオン源１８は、プラズマ室２０と、プラズマ室２０にプラズマ２１を生成するためのプラズマ源２２と、リボンビーム１２をプラズマ室２０から引き出すための引出電極系２４と、を備える。また、イオン注入装置１０は、イオン源１８及び中央チャンバ１６に所望の真空環境を提供するための真空排気系（図示せず）を備える。
【００２１】
イオン注入装置１０は、中央チャンバ１６を備える。中央チャンバ１６は、イオン源１８からリボンビーム１２を受け取るようイオン源１８に接続されている。中央チャンバ１６は、リボンビーム１２を用いて基板Ｓのイオン注入処理をするためのプロセスチャンバ２６を備える。また、中央チャンバ１６は、プロセスチャンバ２６に接続されている上流バッファチャンバ２８及び下流バッファチャンバ３０を備える。なお図面を不必要に複雑にするのを避けるために、図２には中央チャンバ１６を図示していない。
【００２２】
中央チャンバ１６は、基板移動経路Ａに沿って基板Ｓを移動させるための基板移動機構（図６参照）を備える。基板移動経路Ａは、リボンビーム１２の長手方向に垂直な方向に延びる直線的な経路であり、上流バッファチャンバ２８、プロセスチャンバ２６、及び下流バッファチャンバ３０を通る。基板移動経路Ａは、プロセスチャンバ２６においてイオンビーム領域１４を通る。この基板移動機構は、基板移動経路Ａに沿って基板Ｓを連続的に移動させるよう構成されている。基板移動機構は、基板Ｓを実質的に一定の速度で移動させることができる。こうしたインライン式の真空チャンバの構成については、詳しくは図６を参照して後述する。
【００２３】
プロセスチャンバ２６は、イオン源１８に隣接して設けられている。プロセスチャンバ２６は、イオン源１８（正確には、引出電極系２４）から出たリボンビーム１２を受け入れる。従ってプロセスチャンバ２６はその内部にイオンビーム領域１４を有する。プロセスチャンバ２６のイオンビーム領域１４から見て、引出電極系２４は露出されている。
【００２４】
イオン注入装置１０は、イオン注入装置１０を制御するための制御部３２を備える。特に、制御部３２は、イオン源１８のイオンビーム生成条件を制御するために設けられている。イオンビーム生成条件は例えば、引出電極系２４のイオンビーム制御条件、及び／または、プラズマ源２２のプラズマ制御条件を含む。イオンビーム制御条件は、引出電極系２４のイオンビーム引出条件を含む。イオンビーム引出条件は例えば、引出電極系２４の引出電圧を含む。イオンビーム制御条件は、プラズマ制御条件を含んでもよい。よって、制御部３２は、プラズマ源２２及び引出電極系２４の少なくとも一方を制御するよう構成されている。制御部３２は、イオン源１８及び基板移動機構を含むイオン注入装置１０の全体を制御するよう構成されていてもよい。
【００２５】
リボンビーム１２は、イオンビーム生成条件に従って決定されるビーム特性を有する。このビーム特性は例えば、リボンビーム１２のビーム電流、リボンビーム１２のイオン組成、及び／または、リボンビーム１２の断面における均一性を含む。プロセスチャンバ２６がイオン源１８に隣接しているので、リボンビーム１２は、引出電極系２４からイオンビーム領域１４に直接照射される。そのため、リボンビーム１２の特性は、引出電極系２４を通じて引き出された段階で既に決定されており、引出電極系２４からプロセスチャンバ２６へのビーム輸送空間においてビーム特性は保持される。したがって、基板Ｓ上で得られるイオン注入特性（例えば、注入ドーズ量、注入エネルギー、及び／または、注入プロファイル）は、イオン源１８のイオンビーム生成条件に従って決定される。
【００２６】
そこで、制御部３２は、詳しくは後述するように、基板Ｓへの所与の注入条件（例えば注入ドーズ量）及び所与の基板移動速度のもとで、イオンビーム生成条件を制御して（例えばイオンビーム引出条件を変更して）リボンビーム１２のビーム電流を調整する。また、ある実施形態においては、制御部３２は、プラズマ源２２のプラズマ制御条件を変更することにより、イオンビーム１２のイオン組成を制御する。例えば、基板Ｓに注入されるべきイオン種のモノマーイオン及びダイマーイオンの比率が制御される。こうして、注入ドーパント電流を制御することができる。
【００２７】
イオン注入装置１０は、イオン源１８をプロセスチャンバ２６に接続するビームガイド３４を備える。したがって、プロセスチャンバ２６は、ビームガイド３４を介してイオン源１８に隣接する。ビームガイド３４はリボンビーム１２を囲む筒状の部材であり、リボンビーム１２を輸送するための真空環境をイオン源１８とプロセスチャンバ２６との間に提供する。リボンビーム１２を妨げないように、ビームガイド３４はその内壁面がリボンビーム１２の外周部から離れている。ビームガイド３４の内壁面には、パーティクルを防止するための防着板（例えば、グラファイト製のライナー）が取り付けられていてもよい。
【００２８】
図２に示されるように、イオン注入装置１０は、プラズマ室２０とビームガイド３４との間に取り付けられている高電圧インシュレーター４８を備える。高電圧インシュレーター４８は、ビームガイド３４をプラズマ室２０から絶縁する。従ってプロセスチャンバ２６もプラズマ室２０から絶縁されている。高電圧インシュレーター４８は、引出電極系２４を囲むように設けられている。
【００２９】
このようにして、イオン注入装置１０は、直線ビームラインを有する。この直線ビームラインは、引出電極系２４により引き出されたイオンビーム１２をそのままプロセスチャンバ２６へと輸送するためにイオン源１８とプロセスチャンバ２６との間に介在する。ビームラインはごく短く、イオンビーム１２のビーム特性（例えばビーム電流）に作用するビームライン構成要素を有しない。例えば、イオン注入装置１０は、一般的な装置とは異なり、質量分析器を有しない。こうして、イオンビーム１２が基板Ｓに直接照射される。イオン注入装置１０はこのように単純な構成のビームラインをもつので、その製造コストを小さくすることができる。
【００３０】
イオン源１８について図１及び図２を参照して更に説明する。プラズマ室２０は、生成されたプラズマ２１を保持し収容するための空間を提供する。プラズマ室２０は、その壁部またはその近傍にプラズマ２１を閉じ込めるためのマグネット（図示せず）を有する。このプラズマ収容空間は例えば直方体形状を有しており、その上側にプラズマ源２２が設けられており、下側に引出電極系２４が設けられている。
【００３１】
図２に示されるように、プラズマ室２０は、プラズマ２１を外部に取り出すための複数の出口開口５０を有する。出口開口５０は引出電極系２４に関連して設けられている。こうして、引出電極系２４及び出口開口５０にプラズマ源２２が対向している。
【００３２】
複数の出口開口５０は、互いに隣接して形成されており、各々が基板移動経路Ａに垂直な方向に延びる長尺形状を有する。複数の出口開口５０は、互いに平行に等間隔に配列されている。プラズマ室２０は、複数の出口開口５０の一部または全部を開閉するためのビームシャッター（図示せず）を備えてもよい。ビームシャッターが開かれているときプラズマ室２０からイオンビーム１２を引き出すことが可能であり、ビームシャッターが閉じられているときイオンビーム１２の引き出しは物理的に遮断され、イオンビーム量を減じることができる。
【００３３】
図１に戻る。プラズマ源２２は、プラズマ室２０にソースガスを供給するためのガス供給源３６を備える。ソースガスは、基板Ｓに注入されるべき所望のイオン種を含む。例えば、基板Ｓに注入するイオン種がリン（Ｐ）である場合には、ソースガスは例えば、Ｈ２で希釈されたＰＨ３である。基板Ｓに注入するイオン種がボロン（Ｂ）である場合には、ソースガスは例えば、Ｈ２で希釈されたＢ２Ｈ６である。また、基板Ｓの水素パッシベーションのために、ソースガスはＨ２であってもよい。ソースガスは、必要に応じて、Ｈ２とは異なる任意の希釈ガス、プラズマの着火性を改善するためのアシストガス、及び／または、その他の希ガスを含んでもよい。
【００３４】
ガス供給源３６は、ガス配管３８を介してプラズマ室２０に接続されている。ソースガスは、ガス配管３８を通じてプラズマ室２０に供給される。プラズマ室２０に導入されるソースガスの濃度及び／または流量を調整するために、ガス供給源３６及び／またはガス配管３８にガス調整部（例えばマスフローコントローラ）が設けられていてもよい。
【００３５】
プラズマ源２２は、プロセスチャンバ２６においてソースガスからプラズマ２１を生成するための高周波プラズマ励起源、例えばＲＦアンテナ４０を備える。また、プラズマ源２２は、ＲＦアンテナ４０への給電のためのＲＦマッチングボックス４２及びＲＦ電源４４を備える。ＲＦアンテナ４０はプラズマ室２０の中に設けられ、ＲＦマッチングボックス４２及びＲＦ電源４４はプラズマ室２０の外に設けられている。ＲＦマッチングボックス４２はプラズマ室２０の外側に取り付けられている。こうして、イオン源１８は、ＲＦプラズマ励起型のイオン源として構成されている。
【００３６】
図２に示されるように、プラズマ源２２は、複数のＲＦアンテナ４０と複数のＲＦマッチングボックス４２とを備える。ＲＦマッチングボックス４２はＲＦアンテナ４０ごとに設けられている。複数のＲＦアンテナ４０は、プラズマ室２０の出口開口５０に沿って配列されている。これにより、出口開口５０に沿って長尺のプラズマ２１をプラズマ室２０に生成することができる。このように、イオン源１８はバケット型のイオン源である。
【００３７】
図１に示されるように、プラズマ源２２は、ソースボックス４６を備える。ソースボックス４６はガス供給源３６とＲＦ電源４４とを収容する。プラズマ室２０及びソースボックス４６には、例えば後述する電源装置７０（図３参照）によって、所望の注入エネルギーに対応する電圧が印加される。したがって、プラズマ室２０の出口開口５０には、所望の注入エネルギーに対応する電圧を印加することができる。
【００３８】
制御部３２は、プラズマ制御条件に従ってプラズマ源２２を制御する。それにより、ガス供給源３６からプラズマ室２０にソースガスが供給され、ＲＦ電源４４からＲＦアンテナ４０に電力が供給される。その結果、所望のイオン種を含むプラズマ２１がプラズマ室２０に励起される。
【００３９】
プラズマ制御条件は、プラズマ２１を制御するための１つ又は複数のプラズマ制御パラメタを含む。プラズマ制御パラメタには例えば、ソースガスの濃度（例えば水素希釈率）、ソースガスの流量、イオン源１８のトータルＲＦパワー、各ＲＦアンテナ４０のＲＦパワー、各ＲＦアンテナ４０の位置、所望の注入エネルギーに対応する印加電圧があり、これらには限られない。プラズマ制御パラメタを調整または変更することにより、プラズマ２１を制御することができる。プラズマ２１を制御することにより、例えば、リボンビーム１２のビーム電流をいくらか調整することができる。
【００４０】
あるいは、プラズマ室２０に導入されるソースガスの濃度、流量、及びＲＦパワーを調整することにより、プラズマ２１中のモノマーイオンとダイマーイオンの比率を制御することができる。ドーパントがリンである場合には、モノマーイオンＰＨｘ＋とダイマーイオンＰ２Ｈｘ＋との比率を制御することができる。同様に、ドーパントがボロンである場合には、モノマーイオンＢＨｘ＋とダイマーイオンＢ２Ｈｘ＋との比率を制御することができる。したがって、制御部３２は、プラズマ制御条件を変更することにより、注入ドーパント電流及び／または基板Ｓの注入プロファイルを制御することができる。
【００４１】
図３は、本発明のある実施の形態に係るイオン注入装置１０の引出電極系２４を概略的に示す図である。引出電極系２４は、プラズマ電極５２と引出加速電極部５４とを備える。プラズマ電極５２には上述の複数の出口開口５０が形成されている。プラズマ電極５２は、プラズマ室２０の内部を外部から仕切る底板である。引出加速電極部５４は、引出電極５６とサプレッション電極５８とグランド電極６０とを備える。よって引出電極系２４は４つの電極を備える。
【００４２】
引出電極系２４の４つの電極、すなわち、プラズマ電極５２、引出電極５６、サプレッション電極５８、及びグランド電極６０は、イオン源１８からプロセスチャンバ２６に向かう方向にこの記載の順序で配設されている。これら電極は各々がスリット付きの平板であり、互いに平行に配列されている。プラズマ電極５２と引出電極５６との間隔は、引出電極５６とサプレッション電極５８との間隔よりも狭い。引出電極５６とサプレッション電極５８との間隔は、サプレッション電極５８とグランド電極６０との間隔よりも広い。
【００４３】
引出電極系２４は、プラズマ電極５２の複数の出口開口５０に対応する複数のスリットを有する。すなわち、プラズマ電極５２の複数の出口開口５０と同様の形状及び配置で、引出電極５６、サプレッション電極５８、及びグランド電極６０はそれぞれ、複数の第２スリット６２、複数の第３スリット６４、及び複数の第４スリット６６を有する。よって引出加速電極部５４の各電極には、互いに隣接する複数の長尺開口が形成されている。これら長尺開口は基板移動経路Ａに垂直な方向に沿って形成されている。プラズマ電極５２の出口開口５０を引出電極系２４の第１スリットと呼ぶこともできる。
【００４４】
第１ないし第４スリットはプラズマ室２０から引き出されるイオンビームのための直線的なスリット経路を与える。個々のスリット経路を通じて長尺イオンビーム６８が引き出される。複数のスリット経路に対応する複数の長尺イオンビーム６８によって、リボンビーム１２が形成される。このようにして基板移動経路Ａに沿って複数のスリット経路を設けることにより、幅広のリボンビーム１２（即ち、幅広のイオンビーム領域１４）を得ることができる。こうしたスリット構成はリボンビーム１２の大面積化に役立つ。引出電極系２４は、リボンビーム１２の長手方向に（少なくとも基板Ｓの幅にわたって）均一性を有するリボンビーム１２を引き出すことができるように設計されている。
【００４５】
引出電極系２４は、各電極に電圧を与えるための電源装置７０を備える。電源装置７０は、プラズマ電極５２、引出電極５６、及びサプレッション電極５８に関連して、引出電源７２、加速電源７４、及びサプレッション電源７６を備える。これら電源は電圧可変の直流電源であり、制御部３２によって制御される。
【００４６】
引出電源７２は、正の引出電圧Ｖｅｘをプラズマ電極５２に印加するようプラズマ電極５２と引出電極５６との間に接続されている。加速電源７４は、正の加速電圧を引出電極５６に印加するよう引出電極５６とグランド電極６０との間に接続されている。サプレッション電源７６は、負のサプレッション電圧をサプレッション電極５８に印加するようサプレッション電極５８とグランド電極６０との間に接続されている。グランド電極６０は接地されている。
【００４７】
制御部３２は、イオンビーム引出条件に従って引出電極系２４を制御する。その引出条件に従って電源装置７０が引出電極系２４に電圧を印加すると、リボンビーム１２がプラズマ室２０から引出電極系２４を通じて連続的に引き出される。引き出されたリボンビーム１２はビームガイド３４を通過してそのままプロセスチャンバ２６に入射する。
【００４８】
したがって、引出電極系２４により引き出されたリボンビーム１２のイオン組成はプラズマ２１に由来する。上述のようにプラズマ２１は基板Ｓに注入されるドーパントのモノマーイオン及びダイマーイオンを含むから、リボンビーム１２もまた、モノマーイオンとダイマーイオンとを含む。リボンビーム１２は質量分析器を経由せずにプロセスチャンバ２６に入射するので、イオンビーム領域１４は、モノマーイオンとダイマーイオンの両方を受けることが許容されている。
【００４９】
イオンビーム引出条件は、引出電極系２４を制御するための１つ又は複数の引出制御パラメタを含む。引出制御パラメタには例えば、引出電圧Ｖｅｘ、サプレッション電圧、出口開口５０の形状、プラズマ電極５２と引出電極５６との間隔、プラズマ電極５２と引出電極５６との間隔のビーム長手方向分布があり、これらには限られない。引出制御パラメタを調整または変更することにより、リボンビーム１２を制御することができる。
【００５０】
例えば、制御部３２は、注入エネルギーを一定に保つように引出電圧Ｖｅｘ及び／またはサプレッション電圧を変更することにより、引出ビーム電流を制御してもよい。あるいは、制御部３２は、出口開口５０の形状を調整することにより、引出ビーム電流を制御してもよい。そのために、プラズマ電極５２は可変の出口開口を有してもよい。
【００５１】
制御部３２は、引出電極系２４の少なくとも１つの電極の位置及び／または形状を変えることにより、引出ビーム電流を制御してもよい。そのために、例えば、プラズマ電極５２と引出電極５６との間隔を調整するためのアクチュエータが、プラズマ電極５２及び／または引出電極５６に設けられていてもよい。プラズマ電極５２と引出電極５６との間隔のビーム長手方向分布を調整するために、プラズマ電極５２及び／または引出電極５６を移動及び／または変形させるためのアクチュエータが設けられていてもよい。
【００５２】
図４は、本発明のある実施の形態に係るイオン注入装置１０のビーム測定系７８を概略的に示す平面図である。図１及び図４を参照してビーム測定系７８を説明する。
【００５３】
なお、図１とは異なり、図４に示す基板Ｓとリボンビーム１２との位置関係はイオン注入前の状態である。基板Ｓは基板走査速度Ｖｓでリボンビーム１２に向かって移動している。基板Ｓはリボンビーム１２に重なっておらず、イオン注入がまだ開始されていない。ここで、基板Ｓは、多数の基板及びそれらを載せるトレイであってもよい。図４においては、７行５列のマトリックス状の基板配置を可能とするトレイが示されている。５列の基板に同時にリボンビーム１２が照射される。
【００５４】
図１に示されるように、ビーム測定系７８は測定チャンバ８０に収容されている。測定チャンバ８０は、プロセスチャンバ２６の下方にある。つまり、測定チャンバ８０とイオン源１８とは、プロセスチャンバ２６に対して互いに反対側にある。測定チャンバ８０は、プロセスチャンバ２６を通じてイオン源１８からリボンビーム１２を受け入れるよう構成されている。よってビーム測定系７８は基板Ｓよりもビーム経路の下流側にある。
【００５５】
ビーム測定系７８は、リボンビーム１２の特性を測定するよう構成されている。ビーム測定系７８は、スキャンファラデー８２、固定ファラデー８４、及び質量分析器８６を備える。スキャンファラデー８２、固定ファラデー８４、及び質量分析器８６は、リボンビーム１２の輸送方向に沿ってこの記載の順に配設されている。よって質量分析器８６はビーム経路の終端に位置する。
【００５６】
スキャンファラデー８２、固定ファラデー８４、及び質量分析器８６はそれぞれ測定結果を制御部３２に出力することができる。スキャンファラデー８２及び／または固定ファラデー８４は、基板Ｓへの注入前及び／または注入中に注入ビーム電流を測定するよう構成されている。
【００５７】
スキャンファラデー８２は、リボンビーム１２の長手方向に移動する高速移動式プロファイルモニターである。スキャンファラデー８２は、可動式のビーム電流測定器であり、例えばファラデーカップである。スキャンファラデー８２は、リボンビーム１２の長手方向のビーム電流の均一性を測定するために設けられている。図４に示すように、スキャンファラデー８２は、リボンビーム１２の長手方向の幅を含む可動範囲Ｃを走査しながらリボンビーム１２のビーム強度を測定する。可動範囲Ｃの複数の位置で測定することにより、リボンビーム１２のビーム電流均一性を測定することができる。
【００５８】
スキャンファラデー８２の可動範囲Ｃはリボンビーム１２の長手方向端部に達している。リボンビーム１２は長手方向幅が基板Ｓよりも広いので、リボンビーム１２の端部は基板Ｓがリボンビーム１２に進入したときであっても基板Ｓの側方を通過する。そのため、スキャンファラデー８２は基板Ｓがリボンビーム１２に進入したときにもリボンビーム１２のビーム電流を（ビーム端部で）測定することができる。よって、スキャンファラデー８２は、注入前後だけでなく注入中にもビーム電流を測定することができる。
【００５９】
ビーム電流均一性の測定結果を用いて、制御部３２は、リボンビーム１２の長手方向におけるビーム電流均一性を制御してもよい。例えば、制御部３２は、ビーム電流均一性を改善するために、複数のプラズマ励起源（例えばＲＦアンテナ４０）の各々への入力パワーを調整してもよい。あるいは、ビーム電流均一性を改善するために、プラズマ電極５２及び／または引出電極５６を移動及び／または変形させて、プラズマ電極５２と引出電極５６との間隔のビーム長手方向分布が調整されてもよい。
【００６０】
なお、ビーム電流均一性を測定する測定器は可動式でなくてもよい。例えば、ビーム長手方向に配列された多数の測定器を用いてビーム電流均一性を測定することもできる。このビーム電流測定器は、次に述べる固定ファラデー８４を含んでもよい。
【００６１】
固定ファラデー８４は、固定式のビーム電流測定器であり、例えばファラデーカップである。固定ファラデー８４は、平均的なビーム強度を測定するために設けられている。固定ファラデー８４は例えば３つ設けられており、そのうち２つはリボンビーム１２の両端に配置され、残りの１つはリボンビーム１２の中央に配置されている。両端の固定ファラデー８４は、基板Ｓがリボンビーム１２に進入したときにもリボンビーム１２のビーム電流を測定することができるように配置されている。よって、固定ファラデー８４もまた、注入前後だけでなく注入中にビーム電流を測定することができる。中央の固定ファラデー８４は例えば注入前のビーム電流測定に使用される。従って制御部３２は複数（例えば３つ）の固定ファラデー８４の測定値の平均を注入前ビーム電流として使用することができる。
【００６２】
質量分析器８６は、イオンの種類ごとにイオン電流を測定する。リボンビーム１２には、ソースガス組成に由来して、少なくともドーパントイオンと水素イオン（Ｈｘ＋）とが含まれる。ドーパントイオンにはモノマーイオンとダイマーイオンとが含まれる。したがって質量分析器８６は、モノマーイオン、ダイマーイオン、水素イオン、及び（存在する場合には）その他のイオンのイオン電流をそれぞれ測定することができる。質量分析器８６によって、リボンビーム１２のビーム電流に対するドーパントイオン電流の割合（即ち、ドーパント比率Ｆｄ）を測定することができる。質量分析器８６は、リボンビーム１２のイオン組成を測定することができる。
【００６３】
リボンビーム１２は基板Ｓと質量分析器８６とを選択的に照射する。つまり、質量分析器８６は、基板Ｓがリボンビーム１２で照射されているときにはリボンビーム１２を受けない場所に配置されている。したがって、質量分析器８６は、複数の基板についての連続的な注入処理においてある基板とその次の基板との処理の合間にビーム質量分析計測をする。
【００６４】
イオン注入装置１０はインライン型に構成されているので、リボンビーム１２を複数の基板が連続して順次通過する。これら複数の基板の各々の処理時間は一定にすることが望まれる。従って、その一定処理時間に適合する一定の基板走査速度Ｖｓで複数の基板を移動させることが望まれる。しかし、基板によってイオン注入条件が異なる場合がある。
【００６５】
そこで、制御部３２は、基板Ｓへの所望の注入ドーズ量Ｄ及び基板走査速度Ｖｓのもとで、引出電圧Ｖｅｘを制御してリボンビーム１２のビーム電流Ｊを調整する。ビーム電流Ｊは、引出電圧Ｖｅｘの関数としてＪ（Ｖｅｘ）と表すことができる。注入ドーズ量Ｄ及び基板走査速度Ｖｓとビーム電流Ｊ（Ｖｅｘ）とを関連付けることができる。そうした関連付けの一例を次式に示す。ここで、ｑｅは電子電荷、αは比例定数である。比例定数αは例えばビーム測定系７８に依存して決定される。
【００６６】
【数１】
2014099284.tif 000003
【００６７】
上述のようにソースガスの濃度、流量、及びＲＦパワーからプラズマ２１の状態が決定される。これらのプラズマ制御パラメタを一定に保つときプラズマ状態は一定に保たれ、ドーパント比率Ｆｄは一定となる。注入ドーズ量Ｄ、電子電荷ｑｅ、及び比例定数αもまたすべて定数であるから、上式は、基板走査速度Ｖｓとビーム電流Ｊ（Ｖｅｘ）との関係を与えている。
【００６８】
したがって、制御部３２は、与えられた条件に合わせて注入前にビーム電流Ｊ（Ｖｅｘ）及び引出電圧Ｖｅｘを設定することができる。すなわち、制御部３２は、所望の注入ドーズ量Ｄを与えかつ一定の基板走査速度Ｖｓを維持するように引出電圧Ｖｅｘを制御することができる。制御部３２は、基板Ｓへの注入前に上記関係式の右辺からビーム電流Ｊを導出し、その電流値に対応する引出電圧Ｖｅｘに引出電源７２を設定する。その結果、引出電圧Ｖｅｘに応じたビーム電流Ｊ（Ｖｅｘ）を有するリボンビーム１２が基板Ｓに照射される。
【００６９】
引出電圧Ｖｅｘに代えて、又は引出電圧Ｖｅｘとともに、制御部３２は、サプレッション電圧を制御してもよい。このようにしても同様に、注入ドーズ量Ｄ及び基板走査速度Ｖｓを実現することができる。このとき制御部３２は、注入ドーズ量Ｄを得るとともに所定の注入プロファイルを保持するようにイオンビーム引出条件を制御してもよい。
【００７０】
ある実施形態においては、制御部３２は、ビーム電流Ｊのフィードバック制御を実行してもよい。制御部３２は、注入前及び／または注入中のビーム電流測定結果に基づいて注入前及び／または注入中にビーム電流Ｊを制御してもよい。例えば、制御部３２は、測定されるビーム電流が目標ビーム電流に一致するようにイオンビーム引出条件（例えば引出電圧Ｖｅｘ）を制御してもよい。目標ビーム電流は例えば上記関係式の右辺により与えられる。また、ある実施形態においては、制御部３２は、注入前及び／または注入中の測定されたビーム電流と注入ドーズ量Ｄのもとで、基板走査速度Ｖｓを制御してもよい。
【００７１】
また、ある実施形態においては、制御部３２は、プラズマ制御条件の変更とイオンビーム引出条件の変更とを組み合わせてイオン源１８を制御してもよい。この場合、変更されたプラズマ制御条件によってプラズマ源２２が運転され、変更されたイオンビーム引出条件によって引出電極系２４が運転される。制御部３２は、このような複合制御を用いて最適制御を実行してもよい。例えば、制御部３２は、引出ビーム電流及び／またはドーパント注入ビーム電流を最大にするように複合制御を実行してもよい。あるいは、制御部３２は、最良のビーム均一性を得るように複合制御を実行してもよい。
【００７２】
さらに、ある実施形態においては、制御部３２は、プラズマ源２２のプラズマ制御条件を変更することにより、ドーパント比率Ｆｄを制御してもよい。ドーパント比率Ｆｄを制御することにより、注入プロファイルを改善することができる。
【００７３】
図５は、本発明のある実施の形態に係るイオン注入装置１０により得られる注入プロファイルを示す図である。図５において縦軸はドーパント濃度を、横軸は注入深さを示す。図示されるように、イオン注入装置１０によると、基板Ｓのほぼ表面に顕著なピークを持ち、深さが増すにつれてドーパント濃度が単調に減少する注入プロファイルを得ることができる。こうしたプロファイルは太陽電池によって性能上好ましい。このようにプロファイルが改善されるのは、リボンビーム１２がドーパントのダイマーイオンを含むためであると考えられる。図５に示す比較例は従来型のイオン注入装置でモノマーイオンのみを注入した場合に得られるプロファイルである。比較例は、実施例に比べて深い場所にピークをもつ。
【００７４】
図６は、本発明のある実施の形態に係るイオン注入装置１０のためのインライン型の真空チャンバシステム１００を概略的に示す平面図である。真空チャンバシステム１００は上述のように中央チャンバ１６を備え、中央チャンバ１６は、プロセスチャンバ２６、上流バッファチャンバ２８、及び下流バッファチャンバ３０を備える。プロセスチャンバ２６にリボンビーム１２が供給される。
【００７５】
真空チャンバシステム１００は、基板移動経路Ａに沿って基板Ｓを移動させるための基板搬送システム１０２を備える。基板搬送システム１０２は、基板移動経路Ａに沿って一方向に基板Ｓを搬送し、これにより１スキャンの注入処理が可能である。基板搬送システム１０２は、中央チャンバ１６のための基板移動機構を含む。
【００７６】
真空チャンバシステム１００は、中央チャンバ１６の上流に第１ロードロックチャンバ１０４を備え、中央チャンバ１６の下流に第２ロードロックチャンバ１０６を備える。第１ロードロックチャンバ１０４は、第１ロードロックバルブ１０８を介して中央チャンバ１６の上流バッファチャンバ２８に取り付けられている。第２ロードロックチャンバ１０６は、第２ロードロックバルブ１１０を介して中央チャンバ１６の下流バッファチャンバ３０に取り付けられている。
【００７７】
必要とされる場合には、真空チャンバシステム１００は、前工程処理部１１１と、後工程処理部１１２と、を備える。前工程処理部１１１は、中央チャンバ１６で行う基板Ｓへのイオン注入処理の前工程を行う。後工程処理部１１２は、イオン注入処理の後工程を行う。前工程処理部１１１は、第３ロードロックバルブ１１４を介して第１ロードロックチャンバ１０４に取り付けられている。後工程処理部１１２は、第４ロードロックバルブ１１６を介して第２ロードロックチャンバ１０６に取り付けられている。
【００７８】
したがって、基板搬送システム１０２は、前工程処理部１１１、第１ロードロックチャンバ１０４、中央チャンバ１６、第２ロードロックチャンバ１０６、後工程処理部１１２の順に基板Ｓを搬送するよう構成されている。図示されるように、基板搬送システム１０２は、複数の基板Ｓを連続的に搬送し、インラインでのイオン注入処理を可能とする。中央チャンバ１６は、２つの基板Ｓを同時に収容するよう構成されている。図１及び図６には、イオン注入処理中である基板Ｓ１と、その次に処理される基板Ｓ２とが示されている。
【００７９】
第１ロードロックチャンバ１０４及び第２ロードロックチャンバ１０６は、大気雰囲気と中央チャンバ１６の高真空環境との間で基板Ｓを移送するために設けられている。前工程処理部１１１及び／または後工程処理部１１２が中央チャンバ１６と同レベルの高真空環境にある場合には、第１ロードロックチャンバ１０４及び／または第２ロードロックチャンバ１０６は必要とされないこともある。
【００８０】
ロードロックチャンバ１０４、１０６は、中央チャンバ１６との基板Ｓの搬送に際してベント及びラフィングの真空引き動作を行うよう構成されていてもよい。このようにして、ソースガスの外部への漏洩を防止することができる。毒性をもつソースガスが使用されている場合にはこうしたロードロック方式が好ましい。
【００８１】
中央チャンバ１６におけるイオン注入処理のためにマスクＭが使用されてもよい。そこで、前工程処理部１１１はマスクＭを基板Ｓ（例えば太陽電池セルトレイ、本図に関連して以下同様）に装着するよう構成されていてもよい。この場合、マスクＭを装着した状態でプロセスチャンバ２６にて基板Ｓへのイオン注入が行われる。後工程処理部１１２は、処理済みの基板ＳからマスクＭを取り外すよう構成されていてもよい。こうしたマスクＭの装着及び脱着のために、マスク装脱着セルトレイ移送機構１１８が真空チャンバシステム１００の外側に設置されていてもよい。この移送機構１１８は、取り外されたマスクＭを再び装着するために搬送するよう構成されていてもよい。
【００８２】
真空チャンバシステム１００及び基板搬送システム１０２を制御するための搬送制御装置１２０が設けられている。搬送制御装置１２０は、イオン注入装置１０のための制御部３２と一体に構成されていてもよいし、制御部３２とは別に設けられていてもよい。
【００８３】
搬送制御装置１２０は、基板搬送システム１０２における基板走査速度Ｖｓを一定に設定することができる。搬送制御装置１２０は、基板走査速度Ｖｓを、イオンビーム生成条件及び／または基板Ｓへのイオン注入条件に応じて設定してもよい。
【００８４】
あるいは、搬送制御装置１２０は、必要に応じて、基板走査速度Ｖｓを調整してもよい。例えば、搬送制御装置１２０は、イオンビーム領域１４を基板Ｓが通過する間に基板走査速度Ｖｓを調整してもよい。あるいは、搬送制御装置１２０は、イオンビーム領域１４を基板Ｓが通過する間と、イオンビーム領域１４から基板Ｓが外れているときとで、基板走査速度Ｖｓを変えてもよい。
【００８５】
基板搬送システム１０２は、搬送される基板Ｓのための冷却装置を備えてもよい。この冷却装置は、基板を載置するテーブル及び／またはトレイに冷却液を流通させるよう構成されていてもよい。基板とその載置面との良好な熱接触のために、載置面は例えばＲａで３０μｍ程度の表面粗度を有してもよい。載置面は例えばＳｉ溶射等で粗化されてもよい。
【００８６】
イオン注入装置１０の動作を説明する。基板Ｓが、複数枚の太陽電池セルをマトリックス状に載置した太陽電池セルトレイＳである場合を例として説明する。まず、所望のイオン注入条件及びインライン真空チャンバ１００の走査速度Ｖｓから、プラズマ制御条件及びイオンビーム引出条件を含むイオンビーム生成条件が設定される。
【００８７】
イオンビーム生成条件に従ってイオン源１８が運転される。プラズマ制御条件に従ってプラズマ源２２が運転され、所望のイオン種を含むプラズマ２１がプラズマ室２０に励起される。イオンビーム引出条件に従って引出電極系２４が運転され、リボンビーム１２がプラズマ室２０から引出電極系２４を通じて連続的に引き出される。引き出されたリボンビーム１２はプロセスチャンバ２６に直接入射する。このようにして、太陽電池セルトレイＳの幅を満たす長尺のリボンビーム１２がプロセスチャンバ２６に常時照射されている。
【００８８】
太陽電池セルトレイＳが前工程から第１ロードロックチャンバ１０４の前に移送されてくる。必要に応じて太陽電池セルトレイＳにマスクＭが装着される。第３ロードロックバルブ１１４が開かれ、第１ロードロックチャンバ１０４に太陽電池セルトレイＳが挿入される。第３ロードロックバルブ１１４が閉じ、粗引きポンプ（図示せず）により第１ロードロックチャンバ１０４が粗引きされる。次に、第１ロードロックバルブ１０８が開き、太陽電池セルトレイＳが上流バッファチャンバ２８に移送される。第１ロードロックバルブ１０８が閉じられて、太陽電池セルトレイＳが上流バッファチャンバ２８に収容される。
【００８９】
太陽電池セルトレイＳは、中央チャンバ１６内のセルトレイ走査機構１０２によって走査速度Ｖｓでリボンビーム１２の下部を通過しながら下流バッファチャンバ３０まで運ばれる。太陽電池セルトレイＳがプロセスチャンバ２６を移動しているときにリボンビーム１２が太陽電池セルトレイＳに照射されイオン注入がなされる。イオン注入中に測定結果に基づいて必要に応じてイオンビーム生成条件が変更される。これにより、走査速度Ｖｓのもとで所望の注入がなされる。
【００９０】
図１及び図６には、イオン注入処理中である太陽電池セルトレイＳ１と、その次に処理される太陽電池セルトレイＳ２とが示されている。先行するセルトレイＳ１と後続のセルトレイＳ２とはともに同一の走査速度Ｖｓで運ばれている。後続のセルトレイＳ２はある間隔離れて先行セルトレイＳ１に追従している。セルトレイＳ１がリボンビーム１２を完全に通過するとセルトレイＳ１への１回のイオン注入処理が完了する。引き続いて次のセルトレイＳ２がリボンビーム１２に進入し、セルトレイＳ２のイオン注入が開始される。
【００９１】
第２ロードロックチャンバ１０６の粗引き後に第２ロードロックバルブ１１０が開かれ、注入済みの太陽電池セルトレイＳが第２ロードロックチャンバ１０６に移送される。第２ロードロックバルブ１１０が閉じられ、第２ロードロックチャンバ１０６が大気圧にベントされる。その後、第４ロードロックバルブ１１６が開かれ、太陽電池セルトレイＳは後工程処理部１１２へと引き渡される。マスクＭが取り付けられている場合には太陽電池セルトレイＳからマスクＭが取り外される。マスクＭはマスク装脱着セルトレイ移送機構１１８により前工程処理部１１１に戻される。
【００９２】
図７は、本発明のある実施の形態に係るイオン注入方法を表すフローチャートである。このイオン注入方法は、制御部３２及び／または搬送制御装置１２０により実行される。図７に示されるように、この方法は、イオンビーム生成ステップ（Ｓ１０）と、イオン注入ステップ（Ｓ２０）と、を備える。
【００９３】
イオンビーム生成ステップ（Ｓ１０）は、イオン源１８のイオンビーム生成条件を設定及び／または制御することと、イオン源１８のプラズマ室２０にプラズマ２１を発生させることと、イオン源１８の引出電極系２４を通じてイオンビーム１２を引き出すことと、を備える。イオンビーム１２は、イオンビーム生成条件に従って決定される特性（例えばビーム電流）を有する。
【００９４】
イオン注入ステップ（Ｓ２０）は、イオン源１８からイオンビーム１２をプロセスチャンバ２６に受け入れることと、プロセスチャンバ２６のイオンビーム領域１４を通るよう基板Ｓを移動させることと、を備える。イオンビーム領域１４を基板Ｓが通過する間に、イオンビーム１２は、引出電極系２４からイオンビーム領域１４へと直接照射される。引出電極系２４から引き出された段階で決定されているビーム特性がイオンビーム領域１４において保持されている。
【００９５】
以上説明したように、本実施形態によると、イオン注入装置１０は、大面積で高電流のリボンビーム１２のビーム特性を、所望の注入条件及びインライン基板走査に適合させるようにイオン源１８において決定し、そのリボンビーム１２を基板Ｓに照射する。このようにして、イオン注入装置１０は、高い生産性を低コストで実現することができる。
【００９６】
また、本実施形態によると、上記の代表的な効果に加えて、以下に述べる種々の効果を奏することもできる。
【００９７】
イオン源は、ＲＦによる誘導性放電を利用して高密度プラズマを生成可能であるバケット型イオン源である。それとともに、または、それに加えて、ビーム引出系は、大面積で幅広のビーム引出開口を持つ引出スリット系などで構成されている。そのため、高い注入ドーパント電流のリボンビームを引き出すことができる。さらに、この大面積リボンビームは質量分析なしで基板に直接注入される。したがって、高い生産性を実現することができる。
【００９８】
また、こうした高電流のリボンビームが、インライン方式の製造ラインに組み込まれている。注入処理においては大面積の注入部に常時ビームが照射される。多数の電池基板の配列が連続的に一定速度で一方向にビーム下方を移動する。こうして所望のドーパントドーズの注入が行われる。多数基板の連続処理によって、高い生産性が実現される。また、これら基板はインラインで一方向に移動されるので、真空を保ったまま次工程へ搬送される。工程間の搬送時間が短縮されることも生産性の向上に役立つ。
【００９９】
インライン方式の製造ラインにおいては基板を一定速度で処理することが重要である。そのため、あるドーズ量で基板を処理した直後に、異なるドーズ量のレシピーの基板を連続して処理する場合には、後者の基板の処理を始める前に注入ドーパント電流を適切に調整することが望まれる。本実施形態によると、引出電圧を変更して引出電流を変えることにより、注入エネルギーを変えることなく注入ドーパント電流を変更することができる。引出電圧は高速に変更することができるから、注入ドーパント電流を迅速に調整することができる。したがって、ラインの処理速度を高速に保ちながら、種々のレシピーの基板を連続して処理することができる。こうして、ラインの処理速度を乱さずに円滑なインライン基板処理を実現することができる。
【０１００】
従来の太陽電池セル用の不純物導入装置においては、半導体用のイオン注入装置で採用されているホットカソード型イオン源が使用されているかもしれない。その場合、単一孔からビームが引き出されるので、十分なビーム引出電流を得られず、従って注入ビーム電流も多くは得られない。太陽電池セルに要求される注入深さは浅いので（即ち注入エネルギーが低いので）、この注入エネルギーに対応する引出電圧での引出電流も低くなり、従って注入ビーム電流も低下する。質量分析をすればなおさらビーム電流は低下する。しかし、本実施形態によると、バケットソースを採用して長尺の引き出し開口を設けることにより、引出ビーム電流量を大きくすることができる。それにより、注入ビーム電流が増加し、注入時間が短縮され、高生産性が達成される。
【０１０１】
ホットカソード型イオン源に比べてＲＦプラズマ励起型イオン源は低温で運転されるので、プラズマ生成室の温度を低く保つことができる。そのため、高温で分解しやすいＰＨ３やＢ２Ｈ６（これらのガスは３００℃程度でＨとドーパント原子に分解する）をソースガスとして使用することができる。プラズマ制御条件を調整することにより、ダイマーイオンとモノマーイオンの比率を自由に変えることができる。好ましくは、ＰＨｘ＋やＢＨｘ＋等のモノマーイオンを抑制し、Ｐ２Ｈｘ＋やＢ２Ｈｘ＋等のダイマーイオンを支配的に含むプラズマを生成することができる。こうして実注入電流に対してドーパント注入ビーム電流を大幅に増加させることができるので、注入時間が短縮され、高生産性が達成される。
【０１０２】
従来の半導体用注入装置は質量分析器を持ちビームラインが長いので、ビーム輸送系での損失が大きい。そのため注入ビーム電流が低下する。しかし、本実施形態によると、ドーパントガスとしてＨ２希釈されたＰＨ３、Ｂ２Ｈ６を用い、引出ビームを質量分離せずＨｘ＋を含んだまま注入してもよいため、ビーム輸送系の長さを１／１０程度に短くできる。こうして注入ビーム電流を大幅に増加させることができ、注入時間が短縮され、高生産性が達成される。
【０１０３】
従来のある装置は同時に二列の基板しか処理することができない。しかし、本実施形態によると、長尺のリボンビーム引き出しを実現しているので、四列以上の太陽電池基板を並べてリボンビームを同時に照射し一定速度で搬送・注入することができる。よって、従来の二倍以上に生産性を向上することができる。
【０１０４】
従来のスタンドアローン式の装置とは異なり、本実施形態によると、注入プロセスチャンバの前後にバッファチャンバが設けられている。さらに、必要に応じて、ロードロックチャンバが設けられる。こうして、注入時に一方向で一定速度で搬送・注入するようにしてインライン式の装置を実現することができる。
【０１０５】
太陽電池基板の製造において許容される生産コストでイオン注入を適用することができる。既存の手法である、例えば、ｐｎ接合や選択エミッター作製のためのリンの熱拡散や、ＢＳＦにおけるボロンの熱拡散などを、イオン注入に置き換えることができる。イオン注入によって、不純物ドーズ量や拡散深さを精度よく制御することができるので、太陽電池の性能（例えば変換効率）を向上させることができる。
【０１０６】
太陽電池セルにおいてリンやボロンなどの不純物の注入プロファイルは深さ方向に単調に減少することが性能上好ましい。深さ方向にピークがある場合、その深さ位置で不純物濃度が高く、従って電子の移動障壁となる。よって、太陽電池セルの変換効率を低下させることになる。ピークをもつプロファイルを単調減少のプロファイルに改善するには、既存の手法では注入エネルギーの異なる複数回の注入処理を必要とする。質量分離を経てモノマーイオンのみを注入する場合には、図５に示すように、ピークをもつプロファイルとなりがちである。しかし、本実施形態によると、ダイマーイオンを基板に注入することができる。それにより、単調減少の注入プロファイルを１回の注入走査で得ることができる。したがって、セルの変換効率改善とともに生産性を向上することもできる。
【０１０７】
ソースガスとしてＨ２希釈されたＰＨ３、Ｂ２Ｈ６を用いることで注入ビーム中には多量のＨｘ＋が含まれ、これらは所望のイオン種と同時に注入される。この水素注入は、基板のバルクや膜界面の水素パッシベーッション効果を有する。
【０１０８】
以上、本発明を実施例にもとづいて説明した。本発明は上記実施形態に限定されず、種々の設計変更が可能であり、様々な変形例が可能であること、またそうした変形例も本発明の範囲にあることは、当業者に理解されるところである。
【０１０９】
上述の実施形態においては、１つ又は複数のＲＦアンテナを備えるＲＦプラズマ励起型の長尺イオン源が使用されているが、これに限られない。ある実施形態においては、イオン源１８は、長尺のＥＣＲプラズマ室を備えるＥＣＲプラズマ励起型のイオン源であってもよい。ある実施形態においては、イオン源１８は、長尺の１つ又は複数の加熱陰極を備えるフィラメント式直流放電型または傍熱フィラメント陰極型のイオン源であってもよい。
【０１１０】
上述の実施形態においては、基板Ｓが一方向に搬送され一回の走査で一回のイオン注入処理が完了するとしているが、これに限られない。ある実施形態においては、基板Ｓはリボンビーム１２によって複数回走査されるようにプロセスチャンバ２６または中央チャンバ１６を往復移動してもよい。このようにして、高ドーズ注入処理を可能としてもよい。
【０１１１】
ある実施形態においては、イオン注入装置は、基板（例えばＬＣＤ基板）にＡｒイオンを斜め注入するために使用されてもよい。この場合、斜め注入のために、イオン源は基板に対しある角度で設置される。こうして、基板にラビング効果を与えることができる。あるいは、ある実施形態においては、イオン注入装置は、半導体素子のＣｕ配線信頼性向上のためのＳｉ＋、 Ｎ＋の同時高ドーズ注入によるＣｕＳｉＮ膜作製用注入装置として使用されてもよい。
【０１１２】
以下、本発明の幾つかの態様を挙げる。
【０１１３】
ある実施形態に係るイオン注入装置は、
プラズマ室と、前記プラズマ室にプラズマを生成するためのプラズマ源と、長尺ビーム断面を有するイオンビームを前記プラズマ室から引き出すための引出電極系と、を備えるイオン源と、
前記イオン源に隣接して設けられ、前記引出電極系から前記イオンビームを受け入れる処理室であって、イオンビーム照射領域を通る基板移動経路に沿って基板を移動させるための基板移動機構を備える処理室と、
前記イオン源のイオンビーム生成条件を制御するための制御部と、を備え、
前記イオンビームは、前記イオンビーム生成条件に従って決定されるビーム電流を有し、前記イオンビームは、前記引出電極系から前記イオンビーム照射領域を移動中の基板に、前記ビーム電流を保持して直接照射される。
【０１１４】
前記イオンビーム生成条件は、前記引出電極系の引出条件及び／または前記プラズマ源のプラズマ制御条件を含んでもよい。前記イオンビーム生成条件は、前記引出電極系の引出電圧を含んでもよい。
【０１１５】
前記制御部は、基板への所与の注入ドーズ量及び所与の基板移動速度のもとで、前記イオンビーム生成条件を制御して前記ビーム電流を調整してもよい。前記基板移動機構は、基板を実質的に一定の速度で移動させてもよい。
【０１１６】
前記制御部は、前記プラズマ源のプラズマ制御条件を変更することにより、前記イオンビームのイオン組成を制御してもよい。
【０１１７】
前記プラズマ源は、ＰＨ３、Ｂ２Ｈ６、またはＨ２を含むソースガスを前記プラズマ室に供給するためのガス供給源と、前記ソースガスからプラズマを生成するための高周波プラズマ励起源と、を備えてもよい。
【０１１８】
前記プラズマ室は互いに隣接する複数の長尺出口開口を有し、各長尺出口開口は前記移動経路に垂直な方向に沿って形成されていてもよい。前記引出電極系は前記複数の長尺出口開口に対応する複数のスリットを有し、各スリットは前記長尺ビーム断面を有するイオンビームを引き出すために設けられていてもよい。前記移動経路に沿う方向についての前記イオンビーム照射領域の幅が、前記長尺ビーム断面の前記方向の幅よりも広くてもよい。
【０１１９】
前記プラズマ源は、基板に注入されるべきイオン種のモノマーイオンとダイマーイオンとを含むプラズマを前記プラズマ室に生成するよう構成されていてもよい。前記引出電極系は、モノマーイオンとダイマーイオンとを含むイオンビームを前記プラズマ室から引き出すよう構成されていてもよい。前記イオンビーム照射領域は、モノマーイオンとダイマーイオンの両方を受けることが許容されていてもよい。
【０１２０】
ある実施形態に係るイオン注入方法またはイオン注入装置は、連続式長尺リボンビームイオン注入装置に関連する。本装置は、イオンソースの長尺のプラズマ室内に長尺状のプラズマを生成するよう構成されている。本装置は、長尺状のプラズマから長尺で均一なリボン状イオンビームをソース開口からビーム引出電極系により引き出すよう構成されている。本装置は、引き出されたリボン状イオンビームを、連続して移動している基板または基板群に照射するよう構成されている。本方法または本装置は、イオンソースのプラズマ制御条件及びビーム引出電極系のイオンビーム制御条件のいずれか又は両方を変えることにより、ドーパント注入ビームのビーム電流及び／またはドーパント注入プロファイルを制御可能とする。本方法または本装置は、イオンソース及びビーム引出電極系のプラズマ制御条件及び／またはイオンビーム制御条件を変えることにより、ドーパント注入ビームのビーム電流及び／またはドーパント注入プロファイルを制御可能としてもよい。
【０１２１】
ある実施形態においては、イオンソースのイオンビーム制御条件を変えることにより、ドーパント注入ビームのビーム電流を制御可能としてもよい。ある実施形態においては、イオンソースのプラズマ制御条件を変えることにより、ドーパント注入プロファイルを制御可能としてもよい。ある実施形態においては、イオンソースのビーム制御条件およびプラズマ制御条件を同時に変えることにより、ドーパント注入ビームのビーム電流およびドーパント注入プロファイルを同時に制御可能としてもよい。ある実施形態においては、イオンソースのプラズマ生成制御条件（モノマー、ダイマー比率等）は変えないようプラズマ生成条件を変更してもよい。
【符号の説明】
【０１２２】
１０  イオン注入装置、  １２  リボンビーム、  １４  イオンビーム領域、  １８  イオン源、  ２０  プラズマ室、  ２１  プラズマ、  ２２  プラズマ源、  ２４  引出電極系、  ２６  プロセスチャンバ、  ３２  制御部、  ３６  ガス供給源、  ４０  ＲＦアンテナ、  ５０  出口開口、  ５６  引出電極、  １２０  搬送制御装置、  Ａ  基板移動経路、  Ｓ  基板、  Ｖｅｘ  引出電圧、  Ｖｓ  基板走査速度。
【図１】
2014099284.tif 000004
【図２】
2014099284.tif 000005
【図３】
2014099284.tif 000006
【図４】
2014099284.tif 000007
【図６】
2014099284.tif 000008
【図７】
2014099284.tif 000009
【図５】
2014099284.tif 000010